(57)【要約】【課題】充電禁止用ＩＣの給電を確実に停止して不正規な再利用を効果的に防止する。【解決手段】接触部４２ａは、電池３３のプラス電極に接触した接触位置と離れた非接触位置との間で変形可能であり、製造時には非接触位置から弾性変形され、パトローネ室２７の底蓋３２に一体に設けられた押止板３５によって接触位置に保持される。パトローネ２５を取り出すために底蓋３２を開放すると、押止板３５による係止が解除されて、接触部４２ａはその弾性力で非接触位置に復帰し、ＩＣ４０への給電が停止される。ＩＣ４０は給電が一度絶たれると、給電を再開しても所定の解除信号を入力しない限りストロボ装置の充電動作を禁止する。【選択図】　　　　図３
2004012709.tif 000002
【特許請求の範囲】
【請求項１】
ストロボ装置と、電源の電池からの給電が断たれることによってストロボ装置の作動を禁止する禁止状態に移行し、かつ給電を再開しても禁止状態を維持する作動禁止用回路とを備えたレンズ付きフイルムユニットにおいて、
撮影済み写真フイルムを収納するパトローネの取り出し、または取り出しのための操作に連動して、前記電池から前記作動禁止用回路への給電を停止する給電停止手段を備えたことを特徴とするレンズ付きフイルムユニット。
【請求項２】
前記電池の一方の電極と離れた非接触位置から接触した接触位置との間で変位可能な給電用の接触部を備え、前記給電停止手段は、パトローネ室からパトローネを取り出すための取出し蓋が閉じられているときに前記接触部を接触位置に保持し、取出し蓋が開かれたときに前記接触部を非接触位置に変位させることを特徴とする請求項１記載のレンズ付きフイルムユニット。
【請求項３】
前記電池の一方の電極と離れた非接触位置から接触した接触位置との間で変位可能な給電用の接触部を備えるとともに、底蓋開放用の治具が差し込まれる開口が設けられており、前記給電停止手段は、前記開口に治具を差し込むことにより、前記電池の一方の電極と接触した接触部を接触しない状態に変位させることを特徴とする請求項１記載のレンズ付きフイルムユニット。
【請求項４】
前記給電停止手段は、パトローネ室にパトローネが装填されているときにオンとされ、パトローネが取り出されることに連動してオフとなる前記電池と前記作動禁止用回路との間に接続されたスイッチであることを特徴とする請求項１記載のレンズ付きフイルムユニット。
【請求項５】
導電性を有する導電エリアが表面に設けられたパトローネが装填され、前記給電停止手段は、パトローネ室に装填されたパトローネの導電エリアに接触することにより前記電池と前記作動禁止用回路との間を電気的に接続する一対の接片であることを特徴とする請求項１記載のレンズ付きフイルムユニット。
【発明の詳細な説明】
【０００１】
【発明の属する技術分野】
本発明は、ストロボ装置を内蔵したレンズ付きフイルムユニット関するものである。
【０００２】
【従来の技術】
簡単な撮影機構を備えたユニット本体に未露光の写真フイルムが製造時に装填されたレンズ付きフイルムユニットが各種販売されている。このレンズ付きフイルムユニットには、ストロボ装置を内蔵したものもある。このようなレンズ付きフイルムユニットでは、使用済みのものが製造メーカーによって回収され、構成部品ごとにリユース、あるいは原材料としてリサイクルされている。
【０００３】
使用済みのレンズ付きフイルムユニットの不正規な再利用を防止するために、従来のレンズ付きフイルムユニットには各種の工夫がなされており、また各種の手法が提案されている。不正規な再利用防止のために、本出願人は給電開始後に所定の解除操作を行わないと充電動作を禁止した状態を維持するレンズ付きフイルムユニットのストロボ装置を提案している（特開２０００−１３６３７号公報，特開２０００−１３６３８号公報）。
【０００４】
特開２０００−１３６３７号公報、及び特開２０００−１３６３８号公報に記載されたストロボ装置では、それを構成する各種の回路部品が組み付けられたストロボ基板に充電動作の可否を制御するＩＣ（以下、充電禁止用ＩＣという）が搭載されており、電源の電池からストロボ装置とともに充電禁止用ＩＣに対して給電している。そして、充電禁止用ＩＣを含むストロボ装置への給電を開始してから所定の解除コードを充電禁止用ＩＣに入力しない限り、ストロボ装置の充電動作が充電禁止用ＩＣで禁止された状態が維持される。このストロボ装置が搭載されるレンズ付きフイルムユニットでは、そのユニット本体を構成する後カバーを分離する際に、後カバーに設けられた給電停止板がストロボ装置の給電用の接片と電源電池の電極とを離して、ストロボ装置と充電禁止用ＩＣとの給電を一時的に停止する構成となっている。
【０００５】
上記のように構成することにより、新たな写真フイルムを装填しようとして、後カバーをユニット本体から分離すると、その際に充電禁止用ＩＣを含むストロボ装置への給電が一時的に断たれるため、所定の解除コードを充電禁止用ＩＣに入力しない限りストロボ装置，及びそれを搭載したレンズ付きフイルムユニットの再利用ができないようになっている。
【０００６】
【発明が解決しようとする課題】
ところで、上記のように後カバーの分離の際にストロボ装置への給電を停止するようにした場合では、ストロボ装置への給電が停止されていないレンズ付きフイルムユニットを不正規な詰め替えを行う第３者が回収することが可能である。このため、ストロボ装置への給電を維持する策を講じてから後カバーを分離すると、充電禁止用ＩＣは目的とする機能を果たさなくなり、不正規な詰め替え、レンズ付きフイルムユニットの不正規な再利用を防止することができない。
【０００７】
本発明は上記問題を解決するためになされたもので、より確実にメーカー以外でのレンズ付きフイルムユニットの再利用を防止できるレンズ付きフイルムユニットを提供することを目的とする。
【０００８】
【課題を解決するための手段】
上記目的を達成するために、請求項１記載の発明では、撮影済み写真フイルムを収納するパトローネの取り出し、または取り出しのための操作に連動して、前記電池から前記作動禁止用回路への給電を停止する給電停止手段を備えたものである。
【０００９】
請求項２記載の発明では、電池の一方の電極と離れた非接触位置から接触した接触位置との間で変位可能な給電用の接触部を備え、給電停止手段を、パトローネ室からパトローネを取り出すための取出し蓋が閉じられているときに前記接触部を接触位置に保持し、取出し蓋が開かれたときに前記接触部を非接触位置に変位させるようにしたものである。
【００１０】
請求項３記載の発明では、電池の一方の電極と離れた非接触位置から接触した接触位置との間で変位可能な給電用の接触部を備えるとともに、底蓋開放用の治具が差し込まれる開口が設けられており、給電停止手段は、前記開口に治具を差し込むことにより、前記電池の一方の電極と接触した接触部を接触しない状態に変位させるようにしたものである。
【００１１】
請求項４記載の発明では、給電停止手段を、パトローネ室にパトローネが装填されているときにオンとされ、パトローネが取り出されることに連動してオフとなる電池と作動禁止用回路との間に接続されたスイッチとしてものである。
【００１２】
請求項５記載の発明では、導電性を有する導電エリアが表面に設けられたパトローネが装填され、給電停止手段を、パトローネ室に装填されたパトローネの導電エリアに接触することにより電池と作動禁止用回路との間を電気的に接続する一対の接片としたものである。
【００１３】
【発明の実施の形態】
本発明を実施したレンズ付きフイルムユニットの外観を図１に示す。レンズ付きフイルムユニットは、簡単な撮影機構、ストロボ装置等を内蔵したユニット本体２と、このユニット本体２に巻き付けられた外装体３とからなり、この外装体３を巻き付けたままで撮影を行うことができる。
【００１４】
ユニット本体２の前面には、撮影レンズ４，ファインダ５の対物側窓５ａ，ストロボ装置のストロボ発光部７と充電ボタン８が設けられている。また、上面には、レリーズボタン９，撮影可能な残りコマ数を表示するカウンタ窓１０が設けられている。さらに、ユニット本体２の背面側には、１コマの撮影ごとに回転操作される巻上げノブ１１が露呈されている。
【００１５】
従来のレンズ付きフイルムユニットと同様に、巻上げノブ１１を回転操作することでフイルム巻上げが行われ、レリーズボタン９の押圧操作で撮影が行われる。充電ボタン８を押圧操作すると、ストロボ発光のための充電が行われ、充電完了後にレリーズボタン９を押圧操作すると、撮影に同期してストロボ発光部７から被写体に向けてストロボ光が照射される。
【００１６】
図２に示すように、ユニット本体２は、本体基部２０，前カバー２１，後カバー２２，ストロボ装置２３等から構成され、写真フイルム２４がパトローネ２５とともに製造時に装填されている。写真フイルム２４としては、１３５タイプのものを用いているが、その他のタイプ、例えばＩＸ２４０形式のものであってもよい。
【００１７】
本体基部２０の両側には、ロール状に巻かれた写真フイルム２４が収納されるフイルム室２６と、パトローネ２５が収納されるパトローネ室２７とが一体に設けられている。また、本体基部２０の中央には、写真フイルム２４上での撮影コマのサイズ、すなわち露光画面を画定するアパーチャ２０ａが形成されている。このアパーチャ２０ａの前面には、露光ユニット２８が組み付けられる。
【００１８】
露光ユニット２８は、撮影レンズ４から写真フイルム２４までの間の撮影光路を遮光する暗箱２９の外側にレリーズボタン９の押圧操作に応答してシャッタ羽根を駆動するシャッタ機構や、撮影可能な残りコマ数を表示するフイルムカウンタ機構等を構成する各種部品や、撮影レンズ４，ファインダ５のレンズ等を組み付けたものである。
【００１９】
巻上げノブ１１は、パトローネ室２７の上部に回転自在に配されており、その下部に一体に設けられた軸がパトローネ２５のスプール２５ａの一端に係合する。これにより、巻上げノブ１１を矢線方向に回転操作すると、撮影済の写真フイルム２４の部分がパトローネ２５内に巻き上げられるとともに、未露光の部分がアパーチャ２０ａの背後にセットされる。
【００２０】
前カバー２１には、ファインダ５の対物側窓５ａ，充電ボタン８，レリーズボタン９が形成されている他、撮影レンズ４，ストロボ発光部７を露呈するための開口が形成されている。この前カバー２１は、ストロボ装置２３が組み付けられた本体基部２０の前面側に組み付けられる。
【００２１】
後カバー２２は、写真フイルム２４とパトローネ２５を収納した本体基部２０の背面側を覆う。また、後カバー２２には、底蓋３１，３２が形成されている。これらの底蓋３１，３２は、フイルム室２６とパトローネ室２７の底部を光密に閉じる。底蓋３２は、パトローネ室２７の取出し蓋となっており、撮影済の写真フイルム２４を収納したパトローネ２５を取り出す際に開かれる。
【００２２】
フイルム室２６とパトローネ室２７との間で暗箱２９の下方は、ストロボ装置２３の電源の電池３３が収納される電池室となっている。この電池室の一端の底面を覆うように、底蓋３２には遮蔽板３４が一体に設けられ、この遮蔽板３４の上面に給電停止手段としての押止板３５が設けられている。この押止板３５は、電池室側に一方の面を向ける姿勢で形成されている。
【００２３】
なお、底蓋３２を後カバー２２と一体に設けているが、底蓋３２を後カバー２２と別の部品としてもよい。また、底蓋３２には、これを閉じた状態に係止するための係止爪が形成されているが、図面では省略してある。
【００２４】
ストロボ装置２３は、ストロボ回路基板３７にストロボ発光部７，シンクロスイッチ３８，メインコンデンサ３９，電池３３をストロボ装置２３に接続する金属製の接片４１，４２等が組み付けられてユニット化されている。充電スイッチ４３は、前カバー２１とストロボ回路基板３７と間に配された金属片４３ａが充電ボタン８の押圧で弾性変形し、ストロボ回路基板３７上の一対の接点４３ｂに接触することによりオンとなる。充電スイッチ４３がオンとなることにより、メインコンデンサ３９の充電が行われる。
【００２５】
シンクロスイッチ３８は、上下に並べて配された一対の接片からなり、シャッタ機構が作動されたときにシャッタ羽根で上側の接片が押圧されて下側の接片に接触することによりオンとなる。このシンクロスイッチ３８のオンにより、メインコンデンサ３９が放電されてストロボ発光部７からストロボ光が放出される。
【００２６】
接片４１は、電池室内に配される電池３３のマイナス電極と接触する。他方の接片４２の端部には、電池３３のプラス電極と接触する接触部４２ａが設けられている。この接触部４２ａは、電池３０のプラス電極から離れた非接触位置からプラス電極に接触した接触位置に弾性変形可能とされている。
【００２７】
図３に示すように、パトローネ室２７の底部を底蓋３２が閉じているときには、その底蓋３２に形成された押止板３０に接触部４２ａが当接することにより、接触部４２ａが接触位置に保持される。これによりストロボ装置２３及び後述するＩＣ４０に電池３３から継続的に給電する。
【００２８】
パトローネ２５を取り出すために底蓋３２を開くと、押止板３５が接触部４２ａと当接する位置から退避する。このため、図４に示すように、接触部４２ａは、その弾性力によって接触位置から非接触位置に戻る。これにより、電池３３のプラス電極との接続が絶たれ、ストロボ装置２３及びＩＣ４０の給電が停止される。なお、遮蔽板３４が接触部４２ａの下方を覆うことにより、工具等を用いて接触部４２ａを接触位置に保持したまま底蓋３２の開放はできない。また、電池３３のマイナス電極側の接続を絶ってもよい。
【００２９】
図５に示すように、ストロボ回路基板３７にはＩＣ４０が面実装されている。このＩＣ４０は、電源の電池３３からの給電が断たれることによってストロボ装置２３の作動を禁止する禁止状態に移行し、かつ給電を再開しても禁止状態を維持する作動禁止用回路として設けられており、ストロボ装置２３とともに接片４１，４２を介して電池３３からの給電を受ける。したがって、底蓋３２を開放することによりＩＣ４０への給電が停止される。
【００３０】
上記ＩＣ４０は、例えば充電回路４４（図６参照）を形成する発振トランジスタ４４ａの入力端子間を短絡することで充電動作を禁止しており、ＩＣ４０と発振トランジスタ４４ａと、これらの間の配線パターンとは、絶縁性を有した保護層４５で覆われている。この保護層４５は、ＩＣ４０を取り外したり、発振トランジスタ４４ａの代わりに別の発振トランジスタを接続したり、ジャンパ線を付加する等してＩＣ４０の機能を無効化するためのハード的な改造を不可能とするために設けられている。
【００３１】
ストロボ回路基板３７には、ＩＣ４０に解除信号を入力するための入力端子４６が設けられている。給電を開始した後に、入力端子４６を介してＩＣ４０に所定の解除信号を入力することでＩＣ４０によるストロボ装置２３の充電動作の禁止が解除される。
【００３２】
図６にストロボ装置２３の電気的な構成の概略を示す。ＩＣ４０及び充電回路４６は、接片４１，４２を介して電池３３から給電を受ける。ＩＣ４０は、給電開始後で所定の解除信号を入力するまでは、充電回路４１の作動を禁止することにより、ストロボ装置２３の作動を禁止する。ＩＣ４０に所定の解除信号が入力されることにより作動が許容された充電回路４１は、充電スイッチ４３のオンによってメインコンデンサ３９を充電する。
【００３３】
ストロボ放電管４７は、ストロボ発光部７内に配されており、メインコンデンサ３９が充電された状態でトリガ電圧が印加されるとストロボ光を放出する。トリガ回路４８は、シンクロスイッチ３８がオンとなったときにトリガ電圧をストロボ放電管４７に印加する。
【００３４】
なお、このストロボ装置２３では、充電動作を禁止しているが、トリガ電圧の発生，トリガ電圧の印加、メインコンデンサ３９の放電等を阻止してストロボ装置２３の作動を禁止してもよい
【００３５】
次に上記構成の作用について説明する。メーカーでのレンズ付きフイルムユニットの製造時では、露光ユニット２８が組み付けられた本体基部２０に写真フイルム２４，パトローネ２５が装填され、後カバー２２が本体基部２０の背面に組み付けられる。そして、底蓋３１，３２によってフイルム室２６とパトローネ室２７の底部が光密に閉じられる。
【００３６】
上記のように後カバー２２等が組み付けられた本体基部２０にストロボ装置２３が組み付けられた後に、そのストロボ装置２３に電池２９が装着される。このときに、押止板３５の電池室側の面に接片４２の接触部４２ａが当接するように接触部４２ａを弾性変形させて組み付けを行う。これにより、図３に示されるように、接触部４２ａが接触位置に弾性変形された状態が押止板３５で維持される。
【００３７】
そして、接触部４２ａが接触位置となっているため、接片４１と接触部４２ａとの間に電池３３を装着することにより、マイナス電極が接片４１に、またプラス電極が接触部４２ａにそれぞれ接触し、ＩＣ４０及びストロボ装置２３に給電が開始される。しかし、この時点では充電回路４４はＩＣ４０によってその充電動作が禁止された状態となっている。
【００３８】
メーカーからの出荷時には、充電動作を許容した状態とする必要があるため、上記のように給電が開始された後に、所定の解除信号が入力端子４６から入力される。この解除信号の入力により、ＩＣ４０が充電回路４４の充電動作を許容した状態となる。
【００３９】
このようにしてストロボ装置２３の作動を許容した状態にした後に、残りの部品が本体基部２０に組み付けられて、ユニット本体２が完成する。完成したユニット本体２は、各種検査が行われた後に、外装体３が巻き付けられる。これによりレンズ付きフイルムユニットが完成する。完成したレンズ付きフイルムユニットは出荷されて、ユーザのもとで撮影に供される。
【００４０】
撮影時には、従来のレンズ付きフイルムユニットと同様な操作で撮影を行う。もちろん、充電回路４４の動作が許容されているので、充電ボタン８を押圧してすればメインコンデンサ３９が充電され、充電完了後にレリーズボタン９を押圧操作すれば、シャッタ羽根の開閉に同期してストロボ発光が行われる。
【００４１】
最後の撮影コマの撮影が完了すると、巻上げノブ１１が連続的に回転操作可能になる。撮影者は、巻上げノブ１１を連続的に回転操作して写真フイルム２４の全をパトローネ２５内に巻き上げ、レンズ付きフイルムユニットごと現像所やＤＰＥに提出する。
【００４２】
現像所等では、提出されたレンズ付きフイルムユニットの底蓋３２を開放し、パトローネ室２７から撮影済の写真フイルム２４を収納したパトローネ２５を取り出す。そして、写真フイルム２４に現像処理を施し、現像済の写真フイルム２４の各撮影コマからプリント写真を作成する。写真フイルム２４は、プリント写真とともにユーザに返却される。
【００４３】
上記のようにして、パトローネ室２７からパトローネ２５を取り出す際に、底蓋３２を開放すると、この底蓋３２の開放とともに押止板３５が接触部４２ａと当接する位置から退避する。このため、図４に示されるように、接触部４２ａがその弾性力によって接触位置から非接触位置に戻り、電池３３のプラス電極から離れる。
【００４４】
上記のように接触部４２ａが電池３３のプラス電極から離れることにより、ＩＣ４０及びストロボ装置２３への給電が停止する。そして、ＩＣ４０への給電が停止するため、これ以降に給電を再開しても所定の解除信号を入力しないかぎり、ＩＣ４０によるストロボ装置２３の作動が禁止された状態が維持されるので、不正規な再利用を阻止することができる。そして、パトローネ２５を取り出しは、現像所等で必ず行われる操作であるから、確実に再利用を阻止することができる。
【００４５】
図７は、取出し蓋を開放する操作によってＩＣへの給電を停止させる例を示すものである。なお、以下に説明する他は上記実施形態と同様である。
【００４６】
底蓋３２には接片４２の一端の下側を覆うように遮蔽板５０が形成され、この遮蔽板５０には開口５１が形成されている。底蓋３２は、開口５１にマイナスドライバ５２や専用の治具等を挿入し、後カバー２２との連結部分を軸として回動させるようにマイナスドライバ５２等を操作して開放される。なお、底蓋３２が後カバー２２と別部品のものや、分離するものであってもよい。
【００４７】
接片４２の端部には、「く」字状に屈曲され、電池３３のプラス電極に接触する接触部５４が設けられている。この接触部５４の上端には、パトローネ室に向かって伸びてその端部が上方に折り曲げられた「Ｌ」字状の被押圧部５４ａが形成されている。
【００４８】
遮蔽板５０の上方には、給電停止手段として、本体基部２０から前方の伸びた軸（図示省略）に回動自在に取り付けられたレバー５５が配されている。レバー５５は、略「Ｆ」字状をしており、下端５５ａが開口５１の近傍に配され、上端が電池３３う向かう方向に伸びるように屈曲され、その先端に押圧部５５ｂが形成されている。下端５５ａの近傍には、開口５１から挿入されたドライバ５２等の挿入方向を規制し、その先端を下端５５ａに当接させるための規制部５５ｃが設けられている。
【００４９】
底蓋３２の開放操作をするまでの間では、押圧部５５ｂが非押圧部５４ａの上面に当接し、接触部５４の剛性によってレバー５５が支持されている。この状態では、電池３３のプラス電極と接触部５４との接触が維持され、ＩＣ４０を含むストロボ装置２３に給電が行われる。
【００５０】
パトローネ２５を取り出す際には、開口５１からユニット本体２の内部にマイナスドライバ５２等を差し込み、底蓋３２を後カバー２２との連結部分を軸として回動させるように操作する。この底蓋３２の開放操作により底蓋３２が開かれて、パトローネ２５をパトローネ室２７から取り出すことができる。
【００５１】
また、上記の底蓋３２の開放操作により、開口５１から挿入されたマイナスドライバ５２等の先端で下端５５ａが押圧されて、レバー５５が図中矢線方向に回動し、押圧部５５ｂが被押圧部５４ａを下方に押圧する。これにより、接触部５４がプラス電極から離れる方向に移動しながら弾性変形し、ＩＣ４０を含むストロボ装置２３の給電が絶たれる。したがって、底蓋３２の開放操作により、ストロボ装置２３の作動が禁止された状態となって、給電を再開してもストロボ装置２３の作動が禁止された状態を維持する。
【００５２】
図８，図９は、パトローネ室からのパトローネの取り出されることに連動してＩＣへの給電を停止させる例を示すものである。パトローネ室２７内の側壁面に一対の接片６１ａ，６１ｂからなるスイッチ６１が設けられている。一方の接片６１ａは側壁面に固着され、他方の接片６１ｂは、図９に示すように接片６１ａから離れた非接触位置から図８に示すように接片６１ａに接触した接触位置に弾性変形可能になっている。ＩＣ４０は、上記のように構成されるスイッチ６１を介して電池３３からの給電を受ける。
【００５３】
製造時にパトローネ２５をパトローネ室２７に装填する際には、接片６１ｂがパトローネ２５で押圧されて接触位置に向けて弾性変形する。そして、装填が完了すると、図８に示されるようにパトローネ２５の周面に接片が当接して、接触位置に保持され、スイッチ６１がオンとなる。これによりＩＣ４０に給電が行われる。
【００５４】
底蓋３２を開放し、パトローネ２５をパトローネ室２７から取り出すと、接片６１ｂは、その弾性力で接触位置から非接触位置に復帰するためスイッチ６１がオフとなる。したがって、パトローネ２５の取り出しに連動してＩＣ４０への給電が絶たれ、ストロボ装置２３の作動が禁止された状態となる。
【００５５】
図１０は、パトローネ室からのパトローネの取り出しに連動してＩＣへの給電を停止させる別の例を示すものである。パトローネ室２７内の側壁面に一対の接片６３ａ，６３ｂが設けられている。これらの各接片６３ａ，６３ｂは装填されたパトロ−ネ２５の側面に、その弾性力で接触するようにされている。
【００５６】
このレンズ付きフイルムユニットに用いられるパトローネ２５は、各接片６３ａ，６３ｂに対峙する部分に導電エリア６４が設けられている。導電エリア６４は、導電性を有した部分であり、パトローネの外面に金属メッキを施したり、金属箔を貼り付ける等の手法を用いて作成される。また、導電性を有する金属製のパトローネを用いる場合には、その部分を未塗装として金属を露呈させてもよい。ＩＣ４０は、導電エリア６４によって電気的に接続される一対の接片６３ａ，６３ｂを介して電池３３からの給電を受ける。
【００５７】
この例によれば、パトローネ２５がパトローネ室２７に装填されている状態では、一対の接片６３ａ，６３ｂが導電エリア６４に接触して電気的に接続されているのでＩＣ４０に電池３３から給電される。そして、パトローネ２５をパトローネ室２７から取り出すと、接片６３ａと接片６３ｂとの接続が絶たれるので、ＩＣ４０の給電が絶たれる。
【００５８】
【発明の効果】
以上に述べたように、本発明によれば、給電が断たれることによってストロボ装置の作動を禁止する禁止状態に移行し、給電を再開しても禁止状態を維持する作動禁止用回路に対する給電をパトローネの取り出し、または取り出しのための操作に連動して停止するようにしたから、必ず行われるパトローネの取り出しによってストロボ装置の作動を禁止した禁止状態に移行させることができ、レンズ付きフイルムユニット及びストロボ装置を不正規に再利用することが極めて困難にすることができる。
【図面の簡単な説明】
【図１】本発明を実施したレンズ付きフイルムユニットの外観を示す斜視図である。
【図２】レンズ付きフイルムユニットの構成を示す分解斜視図である。
【図３】底蓋に設けた押止板によって電池と接触する接触部を接触位置に保持した状態を示す説明図である。
【図４】底蓋を開放したときに非接触位置に復帰した接触部をの状態を示す説明図である。
【図５】ストロボ装置を示す斜視図である。
【図６】ストロボ装置の電気的な構成を示すブロック図である。
【図７】底蓋開放用の開口に治具を差し込むことにより給電が停止される例を示すものである。
【図８】パトローネ室内にスイッチを設けた例を示すものであり、スイッチがオンの状態を示す説明図である。
【図９】図８に示す例においてスイッチがオフの状態を示す説明図である。
【図１０】
パトローネに導電エリアを設けた例を示すものである。
【符号の説明】
２　ユニット本体
２３　ストロボ装置
２４　写真フイルム
２５　パトローネ
３２　底蓋
３３　電池
３５　押止板
４０　ＩＣ
４２　接片
４２ａ　接触部
５１　開口
５５　レバー
５４　接触部
６１　スイッチ
６３ａ，６３ｂ　接片
６４　導電エリア
【図１】
2004012709.tif 000003
【図２】
2004012709.tif 000004
【図３】
2004012709.tif 000005
【図４】
2004012709.tif 000006
【図５】
2004012709.tif 000007
【図６】
2004012709.tif 000008
【図７】
2004012709.tif 000009
【図８】
2004012709.tif 000010
【図９】
2004012709.tif 000011
【図１０】
2004012709.tif 000012